(57)【要約】【課題】スクリューを嵌めたケーシングの外周に矢板を取付けて、該スクリューを回転しながらケーシング及び矢板を地中に打込むことが出来る矢板の打込み装置におけるケーシングであって、固い地盤であっても打込み作業に支障を来さないようにしたケーシングの提供。【解決手段】ケーシング３の外周面１０には先端から水を高速噴射する為の２本のジェット管１１，１１を軸に平行して取着している。ジェット管１１，１１は水を高速噴射して固い地盤を砕くと共に、ケーシング３に取付けられる矢板１のコーナーに位置することで、該矢板１の位置決めを行なうことが出来る。【選択図】　　　　図１
2004044161.tif 000002
【特許請求の範囲】
【請求項１】
スクリューを嵌めたケーシングの外周には矢板を取付けて、該スクリューを回転しながらケーシング及び矢板を地中に打込むことが出来る矢板の打込み装置における上記ケーシングにおいて、ケーシングの外周面には先端から水を高速噴射する為の２本のジェット管を軸に平行に取着し、該ジェット管はケーシングに取付けられる矢板のコーナーに位置するようにしたことを特徴とする矢板の打込み用ケーシング。
【請求項２】
上記２本のジェット管の内、１本をガイド棒とした請求項１記載の矢板の打込み用ケーシング。
【発明の詳細な説明】
【０００１】
【発明の属する技術分野】
本発明は固い地盤に鋼矢板を効率良く打込む装置であって、該打ち込み装置を構成するケーシングに関するものである。
【０００２】
【従来の技術】
建造物を建設する場合、基礎を作る為に所定の地面を掘削することが必要となるが、この際に隣りの地面が崩れ落ちないように仕切りには矢板と称する鋼板を打込んで、周りに影響しないようにしている。又、矢板を打込むことで周囲の地崩れがなく、必要最小限の掘削容積で済む為に作業能率は向上する。
【０００３】
ところで、矢板を打込む装置にも色々な型式が存在するが、例えば、打込み装置にパワーユニットを備え、該パワーユニットから送り出される油圧によってジャッキを作動することで矢板を打込むことが出来る。しかし地盤が固い場合、ジャッキによる押圧力だけでは矢板を打込むことが容易でない為に、矢板に振動を与えて打込むこともあるが、公害問題が発生する為に工事する場所によっては使用することが出来ない。そこで矢板の先端部にジェットノズルを取着し、ウォータジェットポンプから送られる水を固い地盤に高速噴射して矢板を打込む方法が採用されている。
【０００４】
しかし、この方法はパワーユニットから送られる油圧によって、矢板を直接地盤に打込むものであるが、長い矢板を地中深く打込む場合には垂直下方へ正しく打込むことが出来難く、その為にスクリューによって穴を掘削しながら矢板を打込む方法が使用されている。
【０００５】
図３はスクリューによって穴を掘削しながら矢板を打込む方法を示す概略図である。
（ａ）は打込む矢板１の上端にワイヤーを連結して吊上げ、チャック装置２にて固定する場合である。該打込み装置はケーシング３内にスクリュー４が嵌入していて、該スクリュー４が回転しながら地盤を掘削してケーシング３と共に打込まれる。そこで、上部にはスクリュー４を回転する旋回装置が備わっている。
【０００６】
（ｂ）は矢板１がチャック装置２に固定された場合であり、矢板１はケーシング３の外周面に沿って垂下してケーシング３を越えて下方へ延び、スクリュー４はさらに下方へ延びている。ケーシング３の下端部外周にはツメ５が取着されていて、該ツメ５は矢板１の下端部に設けている係止片に係止して該ケーシング３から外れないようにしている。
【０００７】
（ｃ）はスクリュー４が回転して地中に打込まれる過程を示しているが、該スクリュー３の回転と共にケーシング３も打込まれ、そしてケーシング３の外周に沿って取付けられている矢板１も地中に打込まれる。旋回装置５はスクリュー４を回転させながら、そしてワイヤー７を矢印方向へ引張ると共に押込みシリンダー６を作動して地中深く打込まれる。
【０００８】
（ｄ）はスクリュー４、ケーシング３、及び矢板１が所定の深さまで打込まれた場合を示している。ケーシング３は地面に対して垂直に起立した状態でスクリュー４を回転しながら地中に打込まれる為に、該ケーシング３の外周に取付けられている矢板１も傾くことなく垂直下方へ正しく打込まれる。
（ｅ）はスクリュー４及びケーシング３を引上げる場合を示しているように、矢板１はチャック装置２から解放されて、スクリュー４及びケーシング３が引上げられるならば、矢板１は地中にそのまま残される。この際、スクリュー４は逆回転することで、土は穴に置いて来る。
【０００９】
このようにスクリュー４を用いてケーシング３に取付けた矢板１を打込むことで、該矢板１は傾くことなく地中深く埋着される。図４は同時に打込まれるケーシング３の位置と矢板１の位置を示しているように、複数枚の矢板１，１…が連続して打込まれて遮蔽壁を構成し、その後、遮蔽壁の内側が掘削される。
【００１０】
ところで、矢板１はその上端をチャック装置２で掴まれ、そして下端はツメ５に係止してケーシングから外れないようにしているが、前記図４に示している如く所定の向きに打込まれなくてはならず、向きが変わるならば隣り合う矢板１と繋がって遮蔽壁を構成することが出来ない。その為に、ケーシング３の外周には２本のガイド棒が軸方向に固定され、概略コ型断面の矢板１のコーナーに該ガイド棒が位置することになる。従って、ケーシング３の外周に沿って取付けられる矢板１はガイド棒によって位置決めされ、その向きが変化することなくケーシング３と共に地中に正しく打込まれる。
【００１１】
矢板１はスクリュー４の回転に伴ってケーシング３と共に矢板１は地中に打込まれることになるが、地盤が固い時には押込みシリンダー６を作動しても打込むことが出来難く、打込みに時間がかかり、作業性が大きく低下してしまうといった事態が発生する。
【００１２】
【発明が解決しようとする課題】
このように、矢板を打込む作業において上記のごとき問題がある。本発明が解決しようとする課題はこの問題点であって、固い地盤であっても打込み作業に支障を来さないように、外周に水を高速噴射するジェット管を取着した矢板の打込み用ケーシングを提供する。
【００１３】
【課題を解決する為の手段】
本発明に係る矢板の打込み用ケーシングは、該ケーシングにジェット管を取着し、該ジェット管の先端から水を高速噴射可能としたものである。そしてジェット管はケーシングの外周に軸と平行して取着されるが、従来の位置決めガイド棒の代わりとしても機能するように２本備えている。すなわち、ケーシングに取付けた矢板が回転位置ズレしないように機能し、同時に水を先端から噴射することが出来る。ただし、１本は従来のガイド棒を使用する場合も可能である。以下、本発明に係る実施例を図面に基づいて詳細に説明する。
【００１４】
【実施例】
図１は本発明に係る矢板打込み用のケーシング３を示す実施例である。このケーシング本体は従来と同じであって、内部はスクリュウーが収容される空間８を有し、上端にはツバ９が形成されている。そして、ケーシング外周面１０には２本のジェット管１１，１１が軸に平行を成して延びている。２本のジェット管１１，１１は上端にて接続し、外からのパイプ１２と繋がっている。
【００１５】
そしてパイプ１２から供給される水は両ジェット管１１，１１を流れ、先端から高速噴射し固い地盤を崩すことが出来る。ここで、ジェット管１１，１１の先端はケーシング３の下端部まで延びているが、一般にはジェット管先端とケーシング先端間での距離Ｈは約５０ｃｍとなっている。ただし、この距離はあくまでも一般的なものであり、限定数値ではない。又、ケーシング３の外周下端には従来通りツメ５，５が対を成して設けられ、取付けられる矢板下端部をケーシング３に固定する。
【００１６】
図２はケーシング３の外周面１０に矢板１を取付けた横断面を示しているが、ジェット管１１，１１は矢板１のコーナー１３，１３に位置し、そして地中に打込まれる時には外表面から大きな押圧力が作用する為にコーナー１３，１３はジェット管１１，１１に圧接して位置決めされる。従って、矢板１が位置ズレして回転することはなく、ケーシング３と共に正しく打込まれる。
【００１７】
以上述べたように、本発明に係る矢板打込み用のケーシングは、矢板を取付けた際のコーナーに位置する箇所にジェット管を取着したものであり、次のような効果を得ることが出来る。
【００１８】
【発明の効果】
本発明のケーシングはその外周面にジェット管を軸と平行して取着しているが、このジェット管は矢板をケーシングに取付けた際にコーナーに位置する為に、該矢板の位置決めがなされる。矢板は上端がチャック装置によってクランプされると共に下端はツメに係止し、さらにジェット管にコーナーが係合することで位置ズレすることなくケーシング外周に取付けられ、ケーシングと共に地中に打込まれる。
【００１９】
そして、該ジェット管には水が流れて先端から高速噴射することが出来、その為に固い地盤であってもスクリュウーを回転しながらケーシング及び矢板をスムーズに打込むことが出来、打込み作業の効率化が図られる。
【図面の簡単な説明】
【図１】本発明に係るケーシングを示す実施例。
【図２】本発明のケーシングに矢板を取付けた横断面図。
【図３】矢板の打込み工程。
【図４】地中に打込まれた矢板。
【符号の説明】
１　矢板
２　チャック装置
３　ケーシング
４　スクリュー
５　ツメ
６　押込みシリンダー
７　ワイヤー
８　空間
９　ツバ
１０　外周面
１１　ジェット管
１２　パイプ
１３　コーナー
【図１】
2004044161.tif 000003
【図２】
2004044161.tif 000004
【図３】
2004044161.tif 000005
【図４】
2004044161.tif 000006